(57)【要約】      （修正有）【課題】視聴者が実演またはコンテンツを聴講または視聴中に評価を行い、視聴後にさらに、例えば実演またはコンテンツのうち興味を持った一部について再度評価を行うことが可能な評価方法、システム、サーバ装置及び端末装置を提供する。【解決手段】コンテンツに対する一次評価を含む一次評価情報を受け付ける一次評価情報受付ステップと、当該一次評価情報に応じて当該コンテンツの一部であるコンテンツ片を生成するコンテンツ片生成ステップと、当該コンテンツ片を提示するコンテンツ片提示ステップと、当該コンテンツ片に対する二次評価を含む二次評価情報を受け付ける二次評価情報受付ステップと、を含む。【選択図】図４
2015106223.tif 000002
【特許請求の範囲】
【請求項１】
コンテンツに対する一次評価を含む一次評価情報を受け付ける一次評価情報受付ステップと、
前記一次評価情報に応じて前記コンテンツの一部であるコンテンツ片を生成するコンテンツ片生成ステップと、
前記コンテンツ片を提示するコンテンツ片提示ステップと、
前記コンテンツ片に対する二次評価を含む二次評価情報を受け付ける二次評価情報受付ステップと、
を含むことを特徴とするコンテンツ評価方法。
【請求項２】
前記一次評価は前記コンテンツに対する逐次評価であることを特徴とする請求項１に記載のコンテンツ評価方法。
【請求項３】
前記一次評価と前記二次評価の評価基準が互いに異なることを特徴とする請求項１または２に記載のコンテンツ評価方法。
【請求項４】
コンテンツに対する一次評価を含む一次評価情報を受け付ける一次評価情報受付手段と、
前記一次評価情報に応じて前記コンテンツの一部であるコンテンツ片を生成するコンテンツ片生成手段と、
前記コンテンツ片を提示するコンテンツ片提示手段と、
前記コンテンツ片に対する二次評価を含む二次評価情報を受け付ける二次評価情報受付手段と、
を含むことを特徴とするコンテンツ評価装置。
【請求項５】
前記一次評価は前記コンテンツに対する逐次評価であることを特徴とする請求項４に記載のコンテンツ評価装置。
【請求項６】
前記一次評価と前記二次評価の評価基準が互いに異なることを特徴とする請求項４または５に記載のコンテンツ評価装置。
【請求項７】
コンテンツ評価システムであって、
前記コンテンツに対する一次評価を受け付ける一次評価受付手段と、
前記一次評価を含む一次評価情報を通信路を介して送信する一次評価情報送信手段と、
前記一次評価情報を通信路を介して受信する一次評価情報受信手段と、
前記一次評価情報に応じて前記コンテンツの一部であるコンテンツ片を生成するコンテンツ片生成手段と、
前記生成されたコンテンツ片を通信路を介して送信するコンテンツ片送信手段と、
前記コンテンツ片を通信路を介して受信するコンテンツ片受信手段と、
前記コンテンツ片に対する二次評価を含む二次評価情報を受け付ける二次評価情報受付手段と、
前記二次評価情報を通信路を介して送信する二次評価情報送信手段と、
前記二次評価情報を通信路を介して受信する二次評価情報受信手段と、
を含むことを特徴とするコンテンツ評価システム。
【請求項８】
前記一次評価は前記コンテンツに対する逐次評価であることを特徴とする請求項７に記載のコンテンツ評価システム。
【請求項９】
前記一次評価と前記二次評価の評価基準が互いに異なることを特徴とする請求項７または８に記載のコンテンツ評価システム。
【請求項１０】
通信路を介してコンテンツを評価する評価者から前記コンテンツに対する一次評価を含む一次評価情報を通信路を介して受信する一次評価受信手段と、
前記一次評価情報に応じて前記コンテンツの一部であるコンテンツ片を生成するコンテンツ片生成手段と、
前記生成されたコンテンツ片を前記評価者に通信路を介して送信するコンテンツ片送信手段と、
前記評価者から前記コンテンツ片に対する二次評価を含む二次評価情報を通信路を介して受信する二次評価情報受信手段と、
を含むことを特徴とするサーバ装置。
【請求項１１】
前記一次評価は前記コンテンツに対する逐次評価であることを特徴とする請求項１０に記載のサーバ装置。
【請求項１２】
前記一次評価と前記二次評価の評価基準が互いに異なることを特徴とする請求項１０または１１に記載のサーバ装置。
【請求項１３】
コンテンツに対する一次評価を受け付ける一次評価受付手段と、
前記一次評価を含む一次評価情報を通信路を介して送信する一次評価情報送信手段と、
前記一次評価情報に応じて生成されたコンテンツ片を通信路を介して受信するコンテンツ片受信手段と、
前記コンテンツ片に対する二次評価を含む二次評価情報を受け付ける二次評価受付手段と、
を有することを特徴とする端末装置。
【請求項１４】
前記一次評価は前記コンテンツに対する逐次評価であることを特徴とする請求項１３に記載の端末装置。
【請求項１５】
前記一次評価と前記二次評価の評価基準が互いに異なることを特徴とする請求項１３または１４に記載の端末装置。
【発明の詳細な説明】
【技術分野】
【０００１】
本発明は、講演、講義、プレゼンテーションまたは演劇等の実演、並びに映画、アニメ、ＣＭ及び楽曲等のコンテンツ（以下、単にコンテンツという）の評価方法、装置、システム、サーバ装置及び端末装置に関する。
【背景技術】
【０００２】
コンテンツを評価する方法及びシステムとして、コンテンツを視聴した視聴者がコンテンツ視聴中のある時刻において評価情報を送信し、当該評価情報を集計するという手法が知られている（特許文献１）。
【先行技術文献】
【特許文献】
【０００３】
【特許文献１】特開２００３−３０１０５号公報
【発明の概要】
【発明が解決しようとする課題】
【０００４】
特許文献１の手法によっては、コンテンツについて、聴講者または視聴者（以下、単に視聴者という）が実演またはコンテンツを聴講または視聴（以下、単に視聴という）しながら評価を行うので、精確かつ詳細な評価を収集することが困難であった。
【０００５】
本発明は、上述の点に鑑みてなされたものであり、視聴者がコンテンツを視聴中に評価を行い、視聴後にさらに、例えばコンテンツのうち興味を持った一部について再度評価を行うことが可能な評価方法、装置、システム、サーバ装置及び端末装置を提供することを目的とする。
【課題を解決するための手段】
【０００６】
本発明の評価方法は、コンテンツに対する一次評価を含む一次評価情報を受け付ける一次評価情報受付ステップと、当該一次評価情報に応じて当該コンテンツの一部であるコンテンツ片を生成するコンテンツ片生成ステップと、当該コンテンツ片を提示するコンテンツ片提示ステップと、当該コンテンツ片に対する二次評価を含む二次評価情報を受け付ける二次評価情報受付ステップと、を含むことを特徴とする。
【０００７】
また、本発明のコンテンツ評価装置は、コンテンツに対する一次評価を含む一次評価情報を受け付ける一次評価情報受付手段と、当該一次評価情報に応じて当該コンテンツの一部であるコンテンツ片を生成するコンテンツ片生成手段と、当該コンテンツ片を提示するコンテンツ片提示手段と、当該コンテンツ片に対する二次評価を含む二次評価情報を受け付ける二次評価情報受付手段と、を含むことを特徴とする。
【０００８】
また、本発明のコンテンツ評価システムは、コンテンツに対する一次評価を受け付ける一次評価受付手段と、当該一次評価含む一次評価情報を送信する一次評価情報送信手段と、当該一次評価情報を受信する一次評価情報受信手段と、当該一次評価情報に応じて当該コンテンツの一部であるコンテンツ片を生成するコンテンツ片生成手段と、当該生成されたコンテンツ片を送信するコンテンツ片送信手段と、当該コンテンツ片を受信するコンテンツ片受信手段と、当該コンテンツ片に対する二次評価を含む二次評価情報を受け付ける二次評価情報受付手段と、当該二次評価情報を送信する二次評価情報送信手段と、二次評価情報を受信する二次評価情報受信手段と、を含むことを特徴とする。
【０００９】
また、本発明のサーバ装置は、通信路を介してコンテンツを評価する評価者から当該コンテンツに対する一次評価を含む一次評価情報を通信路を介して受信する一次評価受信手段と、当該一次評価情報に応じて当該コンテンツの一部であるコンテンツ片を生成するコンテンツ片生成手段と、当該生成されたコンテンツ片を当該評価者に通信路を介して送信するコンテンツ片送信手段と、当該評価者から当該コンテンツ片に対する二次評価を含む二次評価情報を通信路を介して受信する二次評価情報受信手段と、を含むことを特徴とする。
また、本発明の端末装置は、コンテンツに対する一次評価を受け付ける一次評価受付手段と、当該一次評価を含む一次評価情報を通信路を介して送信する一次評価情報送信手段と、当該一次評価情報に応じて生成されたコンテンツ片を通信路を介して受信するコンテンツ片受信手段と、当該コンテンツ片に対する二次評価を含む二次評価情報を受け付ける二次評価受付手段と、を有することを特徴とする。
【図面の簡単な説明】
【００１０】
【図１】本発明の実施例１であるシステムの図である。
【図２】図１のシステムのサーバの構成の一例を示すブロック図である。
【図３】図１のシステムの端末の構成の一例を示すブロック図である。
【図４】本発明の実施例１の方法及びシステムを実現するための評価ルーチンのフロー図である。
【図５】一次評価を入力する際の端末の入力受付画面例である。
【図６】二次評価を入力する際の端末の入力受付画面例である。
【図７】二次評価を入力する際の端末の入力受付画面例である。
【図８】本発明の実施例２であるシステムの図である。
【図９】本発明の実施例２の方法及びシステムを実現するための評価ルーチンのフロー図である。
【発明を実施するための形態】
【００１１】
【実施例１】
【００１２】
以下に、本発明の実施例１である評価方法、並びにサーバ装置及び端末装置を含む評価システムについて添付図面を参照しつつ説明する。図１は、本発明の実施例１である評価システムＳＹＳ１を示している。図１に示すように、評価システムＳＹＳ１は、サーバ１０（「サーバ装置」の一例）と、コンテンツを評価する評価者（すなわち視聴者）が操作する端末２０（「端末装置」の一例）と、を含んで構成されている。なお、図１の例では、説明の便宜上、一つの端末２０を示しているが、実際には多数の端末２０がサーバ１０と通信可能となっていてもよい。
【００１３】
サーバ１０と端末２０とは、ネットワークＮＷ（通信路）を介して、例えば、ＴＣＰ／ＩＰ等の通信プロトコルを用いて相互にデータの送受信が可能になっている。なお、ネットワークＮＷは、例えば、インターネット、ＬＡＮ（Local Area Network）専用通信回線（例えば、ＣＡＴＶ（Community Antenna Television）回線）、移動体通信網（基地局等を含む）、及び／またはゲートウェイ等により構築されている。
図２にサーバ１０の構成を示す。例えば、サーバ１０はシステムバス１１を介して、大容量記憶装置１３と、システム制御部１５と、データ通信部１７とが協働している装置である。
【００１４】
大容量記憶装置１３は、例えば、ハードディスク装置及びＳＳＤ（solid state drive）等により構成されており、オペレーティングシステムや、サーバ用のソフトウェア等の各種プログラムを記憶する。なお、各種プログラムは、例えば、他のサーバ装置等からネットワークＮＷを介して取得されるようにしてもよいし、記録媒体に記録されて各種ドライブ装置を介して読み込まれるようにしてもよい。すなわち、大容量記憶装置１３に記憶される各種プログラム（後述する評価収集処理におけるサーバ１０側の処理を実行するためのプログラムを含む）は、ネットワークＮＷを介して伝送可能であるし、また、コンピュータ読み取り可能な記録媒体に記録して譲渡することが可能である。また、大容量記憶装置１３内には、識別情報データベース（ＤＢ（Database））１３１、コンテンツＤＢ１３２、及び評価情報及びコンテンツ片ＤＢ１３３が構築されている。
【００１５】
システム制御部１５は、ＣＰＵ（Central Processing Unit）１５ａ、ＲＯＭ（Read Only Memory）１５ｂ、ＲＡＭ（Random Access Memory）１５ｃ等により構成され、コンピュータとして機能する。そして、ＣＰＵ１５ａが、ＲＯＭ１５ｂや大容量記憶装置１３に記憶された各種プログラムを読み出し実行することにより各種機能を実現する。
【００１６】
データ通信部１７は、上記したネットワークＮＷに接続されており、種々のデータを端末２０等の他の機器との間で送受信する。
【００１７】
図３に端末２０の構成を示す。例えば、端末２０はシステムバス２１を介して、大容量記憶装置２３と、システム制御部２５と、入力部２７と、出力部２９と、データ通信部３１とが協働して評価情報提供装置として働く。端末２０としては、例えば、スマートフォン、パーソナルコンピュータ（ＰＣ）、タブレットＰＣ、フィーチャーフォン、ＰＤＡ（Personal Digital Assistant）が挙げられる。
【００１８】
大容量記憶装置２３は、例えば、ハードディスク装置、ＳＳＤ（solid state drive）、フラッシュメモリ等により構成されており、オペレーティングシステムや、端末用のソフトウェア等の各種プログラムを記憶する。なお、各種プログラムは、例えば、他のサーバ装置等からネットワークＮＷを介して取得されるようにしてもよいし、記録媒体に記録されて各種ドライブ装置を介して読み込まれるようにしてもよい。すなわち、大容量記憶装置２３に記憶される各種プログラム（後述する評価処理における端末２０側の処理を実行するためのプログラムを含む）は、ネットワークＮＷを介して伝送可能であるし、また、コンピュータ読み取り可能な記録媒体に記録して譲渡することが可能である。
【００１９】
システム制御部２５は、ＣＰＵ（Central Processing Unit）２５ａ、ＲＯＭ（Read Only Memory）２５ｂ、ＲＡＭ（Random Access Memory）２５ｃ等により構成され、コンピュータとして機能する。そして、ＣＰＵ２５ａが、ＲＯＭ２５ｂや大容量記憶装置２３に記憶された各種プログラムを読み出し実行することにより各種機能を実現する。
【００２０】
入力部２７は、例えば、キーボード、マウス、タッチパッド、タッチパネル、スタイラスペン、音声入力装置、加速度センサ、傾きセンサ等の入力装置である。出力部２９は、例えば、映像を表示するディスプレイ及び／または音声を発するスピーカである。また、データ通信部３１は、上記したネットワークＮＷに接続されており、種々のデータをサーバ１０等の他の機器との間で送受信する。
【００２１】
［実施例１の評価ルーチン］
図４を参照して、実施例１の方法及びシステムを実現するための評価ルーチンについて説明する。
【００２２】
まず、端末２０は、自己の識別情報（評価者の情報）及び／または評価者が評価するコンテンツの情報を含む識別情報を通信路に供給することでサーバ１０に送信する（以下、単に送信するという）（ステップＳ１Ａ）。これに対して、サーバ１０は、受信した識別情報を識別情報ＤＢ１３１に記録し、認証処理を行う（ステップＳ１Ｂ）。端末２０は、識別情報を送信した後、サーバ１０からのコンテンツが到来するのを待機する（ステップＳ２Ａ：ＮＯ）。
【００２３】
次に、サーバ１０は、識別情報に基づいて評価者が評価するコンテンツを特定し（ステップＳ２Ｂ）、当該特定したコンテンツをコンテンツＤＢ１３２から読み出して端末２０に送信する（ステップＳ３Ｂ）。サーバ１０がコンテンツを送信し（ステップＳ３Ｂ）、端末２０がコンテンツの到来を待ってこれを受信すると（ステップＳ２Ａ：ＹＥＳ）、端末２０は当該受信したコンテンツを再生（すなわち提示）する（ステップＳ３Ａ）。
【００２４】
当該コンテンツの再生中に、端末２０においては、一次評価（例えば、ポジティブな評価またはネガティブな評価等の単純（直感的）な評価）の受付及び記録が行われる。具体的には、端末２０において、例えば、端末の画面に図５のような表示しつつ、当該コンテンツが終了するまで評価者による一次評価操作が行われるのを監視する（ステップＳ４Ａ：ＮＯ、ステップＳ６Ａ：ＮＯ）。図５に示す表示例においては、コンテンツ表示領域４１にコンテンツが表示され、評価選択肢領域４３に評価の選択肢が表示されている。
【００２５】
一次評価操作は、例えば、入力部２７がタッチパネルの場合には図５の画面上の評価（例えば、「きわめてポジティブ」、「とてもポジティブ」、「ややポジティブ」、「ややネガティブ」、「とてもネガティブ」、「きわめてネガティブ」等）が表示してある領域をタッチして評価を選択することでコンテンツの再生と同時進行にて逐次（すなわち順次）行われることとしてもよい。また、入力部２７がキーボードの場合には、例えば上記各評価を数字キーと関連付けておくことで、数字キーを入力することで上記各評価を行うことができることとしてもよい。なお、一次評価は逐次行われなくともよく、決められた時間または場面毎に間欠的に行われることとしてもよい。
【００２６】
一次評価操作が検出された場合には（ステップＳ４Ａ：ＹＥＳ）、端末２０はその一次評価の内容及び再生されたコンテンツにおける一次評価操作が行われた時刻を含む一次評価情報を記録する（ステップＳ５Ａ）。  端末２０は、コンテンツが終了したと判別すると（ステップＳ６Ａ：ＹＥＳ）ステップＳ５Ａにおいて記録された一次評価情報をサーバ１０に送信する（ステップＳ７Ａ）。
【００２７】
一方、サーバ１０は、ステップ３Ｂの処理後、端末２０からの一次評価情報が到来するのを待機する（ステップＳ４Ｂ：ＮＯ）。端末２０が一次評価情報を送信し（ステップＳ７Ａ）、サーバ１０が当該一次評価情報の到来を待ってこれを受信すると（ステップＳ４Ｂ：ＹＥＳ）、サーバ１０は受信した一次評価情報を評価情報及びコンテンツ片ＤＢ１３３に保存し（ステップＳ５Ｂ）、当該保存した一次評価情報に基づいてコンテンツ片を生成し、当該コンテンツ片を評価情報及びコンテンツ片ＤＢ１３３に保存する（ステップＳ６Ｂ）。
【００２８】
コンテンツ片は、コンテンツのうちの連続したまたは断続した一部である。コンテンツ片は、例えば、コンテンツのうちの一次評価操作の各々が行われた時刻の任意に設定可能な前後所定の時間（例えば、前後３０秒）分を切り出すことで生成されてもよい。当該所定の時間は任意に設定可能であってもよい。また、同一傾向（例えば、ポジティブまたはネガティブ）の一次評価が多い部分をコンテンツ片として生成してもよい。また、コンテンツ片の生成において、一次評価を数値に変換して（例えば、「きわめてポジティブ」＝「３」、「とてもポジティブ」＝「２」、「ややポジティブ」＝「１」、「ややネガティブ」＝「−１」、「とてもネガティブ」＝「−２」、「きわめてネガティブ」＝「−３」等））当該数値に基づいてコンテンツ片を生成することとしてもよい。
【００２９】
コンテンツ片の生成において、端末２０が複数存在し、同一のコンテンツについての一次評価情報が複数の端末２０からサーバ１０に送信される場合、コンテンツ片は各々の端末２０から送信された各々の一次評価情報に応じて、各々の端末２０に対して生成されてもよい。また、端末２０の各々から送信された一次評価情報を総合して全端末に共通のコンテンツ片を生成してもよい。
【００３０】
端末２０は、ステップＳ７Ａの処理後、サーバ１０からのコンテンツ片情報が到来するのを待機する（ステップＳ８Ａ：ＮＯ）。サーバ１０は、ステップＳ６Ｂの処理後、生成・保存したコンテンツ片を含むコンテンツ片情報を端末２０に送信する（ステップＳ７Ｂ）。端末２０がコンテンツ片情報の到来を待ってこれを受信すると（ステップＳ８Ａ：ＹＥＳ）、端末２０は端末２０を操作するユーザ（評価者）に受信したコンテンツ片に対する二次評価をするか否か、すなわち二次評価モードを実行するか否かを入力するように、例えば、文字表示によって入力を求めることによって促す。ユーザが二次評価モードを実行しないと入力した場合（ステップＳ９Ａ：ＮＯ）、端末２０は、本フローチャートに従った処理を終了する。
【００３１】
ユーザが二次評価モードを実行すると入力した場合（ステップＳ９Ａ：ＹＥＳ）、二次評価モードが実行され、端末２０は当該受信したコンテンツ片を再生（すなわち提示）する（ステップＳ１０Ａ）。端末２０は、ステップＳ１０Ａの処理後、コンテンツ片に対する評価である二次評価の入力を待ってこれを受け付ける（ステップＳ１１Ａ）。
【００３２】
例えば二次評価の受付は、一次評価と異なった基準に基づいてかつ／または一次評価よりも詳細な内容について行われ、ポジティブな一次評価が多かったコンテンツ片に対しては端末の画面に図６のような表示をしつつ、ネガティブな一次評価が多かったコンテンツ片に対しては端末の画面に図７のような表示をしつつ二次評価操作を検出することで行ってもよい。
【００３３】
図６及び図７に示す表示例においては、コンテンツ片表示領域５１にコンテンツ片が表示され、評価選択肢領域５３に評価の選択肢が表示され、自由コメント領域５５に記述式のコメントを受け付ける欄が表示されている。二次評価の受付は、コンテンツの再生中またはコンテンツの再生の終了後等、任意のタイミング及び時間幅で行うこととしてもよい。
【００３４】
二次評価の入力は、例えば、入力部２７がタッチパネルの場合には図６または図７の画面上の評価が表示してある領域をタッチして評価を選択して行うこととしてもよい。また、入力部２７がキーボードの場合には、各評価を数字キーと関連付けておくことで、数字キーを入力することで評価を行うことができることとしてもよい。また、自由コメント欄に自由にコメントを記載することで二次評価を入力してもよい。なお、二次評価の受付において、一次評価による評価を変更することを可能にしてもよい。例えば、コンテンツを視聴しつつの一次評価ではポジティブな評価をしたが、当該ポジティブな評価に基づいて生成されたコンテンツ片を視聴した際に当該コンテンツ片に対する評価をネガティブな評価に変更することを可能としてもよい。
【００３５】
サーバ１０は、ステップＳ７Ｂの処理後、端末２０からの二次評価情報が到来するのを待機する（ステップＳ８Ｂ：ＮＯ）。端末２０は、ステップＳ１１Ａの処理後、受け付けた二次評価を含む二次評価情報をサーバ１０に送信し（ステップＳ１２Ａ）、本フローチャートに従った処理を終了する。なお、二次評価情報には二次評価操作を行った時刻の情報が含まれていてもよい。サーバ１０は、二次評価情報の到来を待ってこれを受信すると（ステップＳ８Ｂ：ＹＥＳ）、当該受信した二次評価情報を当該二次評価の対象となったコンテンツ片と関連付けた上で評価情報及びコンテンツ片ＤＢ１３３に保存し（ステップＳ９Ｂ）、本フローチャートに従った処理を終了する。
【００３６】
なお、ステップＳ４Ａ−Ｓ７Ａにおいて、一次評価情報はコンテンツの再生の終了後にまとめて送信することとしたが、一次評価情報は一次評価操作があった際にサーバ１０に逐次送信されることとしてもよい。
【００３７】
また、ステップＳ７Ｂ、Ｓ８Ａにおいてコンテンツ片情報がコンテンツ片自体を含むものとしたが、コンテンツ片情報がコンテンツ片自体を含まず、コンテンツを特定する情報及びコンテンツ片を特定するための時間帯情報を含むこととしてもよい。この場合、コンテンツ片はコンテンツ片情報に基づいて端末２０において生成されてもよい。
【００３８】
実施例１の評価方法及び評価システムによれば、コンテンツを視聴しつつ比較的簡単な（直感的な）一次評価を行い、コンテンツの視聴後に当該一次評価に基づいて生成されたコンテンツ片を視聴して、より詳細な二次評価及び／または一次評価と異なった基準による二次評価を行うことができる。すなわち、コンテンツのうちの一度評価した部分をコンテンツから抽出してコンテンツ片を生成し、コンテンツ視聴後に当該コンテンツ片を再度詳細に評価することを可能にすることで、コンテンツについての精確かつ詳細な評価を取得することが可能となる。
【００３９】
認証情報ＤＢ１３１、コンテンツＤＢ１３２及び評価情報及びコンテンツ片ＤＢ１３３に保存された情報は、任意の端末装置によって取得可能であり、例えば評価の対象となったコンテンツを作成した作成者が当該コンテンツについての一次評価情報及び二次評価情報を閲覧することが可能である。それにより、例えば、コンテンツ作成者が評価情報を基にしてコンテンツの内容にフィードバックをかけることが可能である。
【００４０】
なお、端末２０が上記ルーチンの全てを行うこととしてもよい。すなわち、端末２０に予めコンテンツが保存されており、端末２０がコンテンツを再生（すなわち提示）し（ステップＳ３Ａ）、一次評価を受け付け（ステップＳ４Ａ−Ｓ６Ａ）、一次評価に基づいてコンテンツ片を生成し（ステップＳ６Ｂ）、当該コンテンツ片を再生（提示）し（ステップＳ１０Ａ）、二次評価を受け付ける（ステップＳ１１Ａ）こととしてもよい。
【００４１】
また、一次評価情報及び二次評価情報にＧＰＳ等によって取得される位置情報が含まれていてもよい。当該位置情報は一次評価情報及び二次評価情報のメタデータとして含まれていてもよいし、当該位置情報自体が一次評価または二次評価となっていてもよい。例えば、評価操作が行われた場所または評価情報が送信された場所に応じて評価が特定されることとしてもよい。
【実施例２】
【００４２】
以下に、本発明の実施例２である評価方法、並びサーバ装置及び端末装置を含む評価システムについて添付図面を参照しつつ説明する。図８は、本発明の実施例２である評価システムＳＹＳ２を示している。図８に示すように、評価システムＳＹＳ２は、サーバ１０（「サーバ装置」の一例）と、コンテンツを評価する評価者（すなわち視聴者）が操作する端末２０（「端末装置」の一例）と、記録端末装置６０を含んで構成されている。なお、図８の例では、説明の便宜上、一つの端末２０を示しているが、実際には多数の端末２０がサーバ１０と通信可能となっていてもよい。
【００４３】
サーバ１０と端末２０及び記録端末装置６０とは、ネットワークＮＷを介して、例えば、ＴＣＰ／ＩＰ等の通信プロトコルを用いて相互にデータの送受信が可能になっている。なお、ネットワークＮＷは、例えば、インターネット、ＬＡＮ（Local Area Network）専用通信回線（例えば、ＣＡＴＶ（Community Antenna Television）回線）、移動体通信網（基地局等を含む）、及び／またはゲートウェイ等により構築されている。
【００４４】
サーバ１０及び端末２０は、実施例１のサーバ１０及び端末２０と同様の構成を有している。記録端末装置６０は、録画及び録音が可能なカメラまたはマイク機能を有し、録画及び録音した内容をネットワークＮＷを介してサーバ１０に送信することが可能な端末装置である。記録端末装置６０は、例えば、スマートフォン、パーソナルコンピュータ（ＰＣ）、タブレットＰＣ、フィーチャーフォン、ＰＤＡ（Personal Digital Assistant）他の記録（録画・録音）機能を備えた装置であってもよい。
【００４５】
［実施例２の評価ルーチン］
図９を参照して、本発明の方法及び装置を実現するための実施例１の評価ルーチンについて説明する。まず、端末２０は、自己の識別情報（評価者の情報）及び／または評価者が評価する実演コンテンツの情報を含む識別情報をサーバ１０に送信する（ステップＳ２１Ａ）。  その一方で、記録端末装置６０は、自己の識別情報及び／または記録端末装置６０が録画かつ／または録音する実演コンテンツの情報を含む識別情報をサーバ１０に送信する（ステップＳ２１Ｃ）。これに対して、サーバ１０は、受信した識別情報を識別情報ＤＢ１３１に記録し、認証処理を行う（ステップＳ２１Ｂ）。
【００４６】
端末２０はステップＳ２１Ａの処理後、サーバ１０からの一次評価開始信号が到来するのを待機する（ステップＳ２２Ａ：ＮＯ）。また、記録端末装置６０はステップＳ２１Ｃの終了後、記録端末装置６０に録画（録音）の開始を指令する録画指令操作を検出するまで待機する（ステップＳ２２Ｃ：ＮＯ）。
【００４７】
記録端末装置６０は録画指令操作を検出すると（ステップＳ２２Ｃ：ＹＥＳ）と、サーバ１０に録画開始時刻等の情報を含む録画開始信号を送信して実演コンテンツの録画を開始する（ステップＳ２３Ｃ）。サーバ１０は、記録端末装置６０からの録画開始信号を受信する（ステップＳ２２Ｂ：ＹＥＳ）と、一次評価開始信号を端末２０に送信する（ステップＳ２３Ｂ）。端末２０は、サーバ１０から一次評価開始信号を受信する（ステップＳ２２Ａ：ＹＥＳ）と、一次評価の受付を開始する（ステップＳ２３Ａ）。
【００４８】
その一方で、記録端末装置６０は、ステップＳ２３Ｃの処理後、録画の終了を指令する外部からの録画終了指令操作を検出するまで待機する（ステップＳ２４Ｃ：ＮＯ）。また、サーバ１０はステップＳ２３Ｂの処理後、記録端末装置６０からの録画終了信号及び録画内容が到来するのを待機する（ステップＳ２４Ｂ：ＮＯ）。記録端末装置６０が外部からの録画終了指令操作を検出する（ステップＳ２４Ｃ：ＹＥＳ）と、記録端末装置６０は、実演コンテンツの録画を終了して録画終了信号及び録画内容をサーバ１０に送信し（ステップＳ２５Ｃ）、本フローチャートに従った処理を終了する。サーバ１０は、記録端末装置６０から録画終了信号及び録画内容である録画コンテンツの到来を待ってこれを受信する（ステップＳ２４Ｂ：ＹＥＳ）と、端末２０に一次評価終了信号を送信して（ステップＳ２５Ｂ）、録画コンテンツをコンテンツＤＢ１３２保存する（ステップＳ２６Ｂ）。
【００４９】
端末２０はステップＳ２３Ａの処理後、実施例１のルーチンと同様に一次評価の受付及び記録を行う。具体的には、実施例１のルーチンの場合と同様に、端末２０において、例えば、端末２０の画面に図５のような表示しつつ、記録端末装置６０による実演コンテンツの録画が終了するまで評価者による一次評価操作が行われるのを監視・検出する（ステップＳ２４Ａ：ＮＯ、ステップＳ２６Ａ：ＮＯ）。すなわち、一次評価は実演コンテンツの進行と同時進行で行われる実演コンテンツに対する逐次評価であってもよい。なお、この場合、コンテンツ表示領域４１はなくともよいし、実演コンテンツのストリーミング映像等が表示されていてもよい。また、一次評価は逐次行われなくともよく、決められた時間または場面毎に間欠的に行われることとしてもよい。
【００５０】
一次評価操作は、例えば、入力部２７がタッチパネルの場合には図４の画面上の評価（例えば、「きわめてポジティブ」、「とてもポジティブ」、「ややポジティブ」、「ややネガティブ」、「とてもネガティブ」、「きわめてネガティブ」等）が表示してある領域をタッチして評価を選択して行うこととしてもよい。また、入力部２７がキーボードの場合には、数字キーを入力することで評価を行ってもよい。
【００５１】
一次評価操作が検出された場合には（ステップＳ２４Ａ：ＹＥＳ）、端末２０はその一次評価の内容及び一次評価操作が行われた時刻を含む一次評価情報を記録する（ステップＳ２５Ａ）。端末２０は、一次評価終了信号の到来を待ってこれを受信すると（ステップＳ２６Ａ：ＹＥＳ）ステップＳ２５Ａにおいて記録された一次評価情報をサーバ１０に送信する（ステップＳ２７Ａ）。
【００５２】
サーバ１０は、ステップＳ２６Ｂの処理後、端末２０から一次評価情報が到来するのを待機し（ステップＳ２７Ｂ：ＮＯ）、端末２０から一次評価情報を受信すると（ステップＳ２７Ｂ：ＹＥＳ）、一次評価情報を評価情報及びコンテンツ片ＤＢ１３３に保存する（ステップ２８Ｂ）。
【００５３】
サーバ１０は、ステップＳ２８Ｂの処理後、保存した一次評価情報に基づいてコンテンツ片を生成し、当該コンテンツ片を評価情報及びコンテンツ片ＤＢ１３３に保存する（ステップＳ２９Ｂ）。
【００５４】
コンテンツ片は、実演コンテンツの録画内容である録画コンテンツのうちの連続した一部である。コンテンツ片の生成は、例えば、実演コンテンツにおいて一次評価操作の各々が行われた時刻の前後所定の時間（例えば、前後３０秒）分に対応する録画コンテンツを切り出すことで生成されてもよい。当該所定の時間は任意に設定可能であってもよい。また、録画コンテンツ全体を所定の時間毎に複数のコンテンツセクションに予め分割しておき、実演コンテンツにおいて同一傾向（例えば、ポジティブまたはネガティブ）の一次評価が多かった部分に対応するセクションを選択することでコンテンツ片を生成（選択）してもよい。
【００５５】
コンテンツ片の生成において、端末２０が複数存在し、同一の実演コンテンツについての一次評価情報が複数の端末２０からサーバ１０に送信される場合、コンテンツ片は各々の端末２０から送信された各々の一次評価情報に応じて、各々の端末２０に対して生成されてもよい。また、端末２０の各々から送信された一次評価情報を総合して全端末に共通のコンテンツ片を生成してもよい。
【００５６】
端末２０は、ステップＳ２７Ａの処理後、サーバ１０からのコンテンツ片を含むコンテンツ片情報が到来するのを待機する（ステップＳ２８Ａ：ＮＯ）。サーバ１０は、ステップＳ２９Ｂの処理後、生成・保存したコンテンツ片を含むコンテンツ片情報を端末２０に送信する（ステップＳ２１０Ｂ）。端末２０がコンテンツ片情報が到来するのを待ってこれを受信すると（ステップＳ２８Ａ：ＹＥＳ）、端末２０は端末２０を操作するユーザ（評価者）に受信したコンテンツ片に対する二次評価をするか否か、すなわち二次評価モードを実行するか否かを入力するように、例えば、文字表示によって入力を求めることによって促す。ユーザが二次評価モードを実行しないと入力した場合（ステップＳ２９Ａ：ＮＯ）、端末２０は、本フローチャートに従った処理を終了する。
【００５７】
ユーザが二次評価モードを実行すると入力した場合（ステップＳ２９Ａ：ＹＥＳ）、二次評価モードが実行され、端末２０は当該受信したコンテンツ片を再生する（ステップＳ２１０Ａ）。端末２０は、ステップＳ２１０Ａの処理後、コンテンツ片に対する評価である二次評価の入力を待ってこれを受け付ける（ステップＳ２１１Ａ）。例えば二次評価の受付は、実施例１の場合と同様に、ポジティブな一次評価が多かったコンテンツ片に対しては端末の画面に図６のような表示をしつつ、ネガティブな一次評価が多かったコンテンツ片対しては端末の画面に図７のような表示をしつつ二次評価操作を検出することで行ってもよい。
【００５８】
二次評価の入力は、実施例１と同様に、例えば、一次評価と異なった基準に基づいてかつ／または一次評価よりも詳細な内容について行われ、入力部２７がタッチパネルの場合には図６または図７の画面上の評価が表示してある領域をタッチして評価を選択して行うこととしてもよい。また、入力部２７がキーボードの場合には、数字キーを入力することで評価を行ってもよい。また、自由コメント欄に自由にコメントを記載することで二次評価を入力してもよい。
【００５９】
サーバ１０は、ステップＳ２１０Ｂの処理後、端末２０からの二次評価情報が到来するのを待機する（ステップＳ２１１Ｂ：ＮＯ）。端末２０は、ステップＳ２１１Ａの処理後、受け付けた二次評価を含む二次評価情報をサーバ１０に送信し（ステップＳ２１２Ａ）、本フローチャートに従った処理を終了する。なお、二次評価情報には二次評価操作を行った時刻の情報が含まれていてもよい。サーバ１０は、二次評価情報の到来を待ってこれを受信すると（ステップＳ２１１Ｂ：ＹＥＳ）、当該受信した二次評価情報を当該二次評価の対象となったコンテンツ片と関連づけた上で評価情報及びコンテンツ片ＤＢ１３３に保存し（ステップＳ２１２Ｂ）、本フローチャートに従った処理を終了する。
【００６０】
実施例２の評価方法及び評価システムによれば、実演を視聴しつつ比較的簡単な（直感的な）一次評価を行い、実演の視聴後に当該一次評価に基づいて生成されたコンテンツ片を視聴して、より詳細な二次評価及び／または異なった基準による二次評価を行うことができる。すなわち、実演コンテンツのうちの一度評価した部分に対応する録画コンテンツ中の部分を、録画コンテンツから切り出して（抽出して）コンテンツ片を生成し、実演の視聴後に当該コンテンツ片を再度詳細に評価することを可能にすることで、実演コンテンツについての精確かつ詳細な評価を取得することが可能となる。
【００６１】
認証情報ＤＢ１３１、コンテンツＤＢ１３２及び評価情報及びコンテンツ片ＤＢ１３３に保存された情報は、任意の端末装置によって取得可能であり、例えば評価の対象となった実演を行った実演者が当該実演についての一次評価情報及び二次評価情報を入手・閲覧することが可能である。それにより、例えば、実演者が評価情報を基にして自らの実演の内容にフィードバックをかけることが可能である。
【００６２】
なお、記録端末装置６０が、例えば表示手段及び音声出力手段等の出力手段を有するＰＣ、スマートフォンまたはタブレットＰＣ等であり、映像の表示または音声の出力が可能である場合には、サーバ１０が二次評価情報を受信した（ステップＳ２１１Ｂ：ＹＥＳ）後に一次評価情報及び二次評価情報を記録端末装置６０に送信することとしてもよい。そのようにすることで、録画がなされている場所において実演をしている者が自らわざわざサーバ１０にアクセスしなくとも自身が行った実演コンテンツに対する評価を知ることができる。
【００６３】
また、記録端末装置６０が、例えば、入力手段を有するＰＣ、スマートフォンまたはタブレットＰＣ等である場合には、ステップＳ２８Ａ−ステップＳ２１２Ａを記録端末装置６０側で行う、すなわち二次評価の受付を記録端末装置６０で行うこととしてもよい。また、端末２０及び記録端末装置６０以外の別の端末において二次評価の受付を行うこととしてもよい。このような態様とすることで、例えば、実演を行った実演者が、記録端末装置６０または当該別端末を持って一次評価を行った評価者に面と向かって直接二次評価を入力してもらい、さらにその場で口頭により評価を聞くことが可能となる。
【００６４】
また、ステップＳ２１０Ｂ、Ｓ２８Ａにおいてコンテンツ片情報がコンテンツ片自体を含むものとしたが、コンテンツ片情報がコンテンツ片自体を含まず、コンテンツを特定する情報及びコンテンツ片を特定するための時間帯情報を含むこととしてもよい。この場合、ステップＳ２８Ａの前までに端末２０にコンテンツを保存しておき、コンテンツ片がコンテンツ片情報に基づいて端末２０において生成されてもよい。また、上述したようにステップＳ２８Ａ−Ｓ２１２を記録端末装置６０側で行う場合、コンテンツ片を特徴する情報及びコンテンツ片を特定するための時間帯情報を含むコンテンツ片情報を記録端末装置６０に送信し、記録端末装置６０においてコンテンツ片を生成することとしてもよい。
【００６５】
また、実施例２のルーチンでは、ステップＳ２４Ａ−Ｓ２７Ａにおいて、一次評価情報は一次評価信号の終了信号の受信の後、すなわち実演コンテンツの録画の終了後にまとめて送信することとしたが、一次評価情報は一次評価操作があった際に逐次サーバ１０に送信されることとしてもよい。このようにすることで、例えば実演者が実演中にサーバ１０から一次評価情報をリアルタイムに取得することが可能となり、実演者が当該一次評価情報に基づいて実演内容を工夫可能になる等の利点が生ずる。
【００６６】
また、一次評価情報または二次評価情報に、一次評価操作もしくは二次評価操作が行われた際の、または当該一次評価情報もしくは二次評価情報を送信した際の端末２０のＧＰＳ等による位置情報を含めることとしてもよい。当該位置情報は一次評価情報及び二次評価情報のメタデータとして含まれていてもよいし、当該位置情報自体が一次評価または二次評価となっていてもよい。例えば、評価操作が行われた場所に応じて評価が特定されることとしてもよい。また、例えば、実際に実演が行われている場所から遠く離れた場所において行われた一次評価を無効なものとして排除する等、評価情報の精確性の向上を図ることが可能である。
【００６７】
なお、記録端末装置６０が上記ルーチンの全てを行うこととしてもよい。すなわち、記録端末装置６０が、コンテンツを記録（例えば、録画または録音）し（ステップＳ２２Ｃ−Ｓ２５Ｃ）、一次評価を受け付け（ステップＳ２３Ａ−Ｓ２６Ａ）、一次評価に基づいてコンテンツ片を生成し（ステップＳ２９Ｂ）、当該コンテンツ片を再生（すなわち提示）し（ステップＳ２１０Ａ）、二次評価を受け付ける（ステップＳ２１１Ａ）こととしてもよい。
【００６８】
［一次評価及び二次評価の入力方法］
上記実施例において、一次評価及び二次評価の入力方法についていくつか例示をしたが、一次評価及び二次評価の入力方法は上記例示したものに限られない。また、一次評価の入力において、入力装置としてマウスを用いる場合には、マウスをクリックすることによって、またはマウスのホイールを前後に回転することによって評価を入力することとしてもよい。また、入力装置としてタッチパネルを用いる場合には、タッチパネルをタップ、フリック、スワイプすることによって評価を入力することとしてもよい。
【００６９】
また、入力装置として加速度センサを有するコントローラ（例えば、加速度計を内蔵するスマートフォン）を用いる場合には、コントローラを傾けたり、揺らしたり、振ったりすることによって評価を入力することとしてもよい。その場合、一次評価として、当該加速度の情報が用いられ、コントローラを傾けた角度・方向、コントローラを揺らした早さや揺れの大きさ、コントローラを振った回数、早さまたは振り大きさ等に基づいて入力内容に変化をもたらすこととしてもよい。
【００７０】
また、入力装置としてカメラを用いる場合には、実際のジェスチャを画像認識等で読み取るようなモーション入力等を用いてもよい。また、入力装置として音声入力装置を用いる場合には、音声による評価の入力が行われてもよい。この場合、単に入力された音声の大小、高低、音声入力の頻度、具体的な評価の音声認識等によって評価の入力が行われてもよい。
【００７１】
［一次評価の形式］
上記実施例において、一次評価の形式についていくつか例示をしたが、一次評価の形式は上記例示したものに限られない。例えば、一次評価の形式を単純に点数形式で入力する形式としてもよい。また、一次評価が上記実施例の二次評価におけるような選択肢を選択することで行われることとしてもよい。なお、一次評価において、ユーザの「二次評価をしたい」との評価・要望を示す二次評価要求評価をすることを可能とし、当該評価がなされた部分について必ずまたは他の評価を行った場合よりも高い確率でコンテンツ片（例えば、コンテンツのうちの当該二次評価要求評価がなされた時刻から前後所定時間を含むコンテンツ片）を生成することとしてもよい。このようにすることで、ユーザの二次評価要求等の要望も含めた形で一次評価を受け付けることが可能となる。
【００７２】
［コンテンツ片の生成方法］
上記実施例において、コンテンツ片の生成方法についていくつか例示をしたが、コンテンツ片の生成方法は上記例示したものに限られない。例えば、以下のような方法でコンテンツ片を生成することとしてもよい。例えば、一次評価が複数の端末２０間で大きく異なっている部分をコンテンツ片として生成してもよい。また、コンテンツまたは実演において予めコンテンツ作成者または実演者が、評価者によって端末２０に入力される一次評価を予想しておき、当該予想された一次評価と実際に入力された一次評価の差異が大きい（例えば、ポジティブな評価があろうと予想したところにネガティブな評価がなされていた、または、多くの一次評価の入力があるだろうと予想したところに全く一次評価の入力がなかった等）部分をコンテンツ片としてもよい。
【００７３】
なお、コンテンツ片は、コンテンツ全体を所定の時間毎に複数のコンテンツセクションに予め分割しておきそのうちから１または複数のコンテンツセクションを選択することで作成してもよい。また、コンテンツ片は１もしくは複数の静止画像及び／または音声のみで構成されていてもよい。例えば、サーバ１０と端末２０との間のネットワーク環境が劣悪である場合、または端末２０に映像再生能力または映像再生能力が著しく低い場合に、音声のみのコンテンツ片を生成・送信することで、二次評価を円滑に行うことが可能となる。
【００７４】
［二次評価の形式］
上記実施例において、二次評価の形式についていくつか例示をしたが、二次評価の形式は上記例示したものに限られない。例えば、二次評価の形式を、「話が上手」、「説得力がある」等、１または複数の項目に対する段階式評価の形式にしてもよい。また、模範演技等の模範となる映像等とコンテンツ片を比較表示してコンテンツ片に対する二次評価を行う形式にしてもよい。また、上記実施例において、二次評価は一次評価と異なった基準で行われることしたが、一次評価と二次評価とが同一の基準で行われることとしてもよい。
【００７５】
また、上記実施例において、コンテンツ片をサーバ１０で生成する例を示したが、コンテンツ片を端末装置２０において生成することとしてもよい。その場合、例えば、一次評価情報は、二次評価情報の受付後に端末２０によってまとめてサーバ１０に送信されることとしてもよい。
【００７６】
また、上記実施例において一次評価情報が一次評価操作を行われた時刻を含むとしたが、当該時刻の情報は必ずしも含まれていなくともよい。例えば、上記したように、コンテンツが複数のコンテンツセクションに予め分割されている場合には、一次評価操作が行われた際に再生されているコンテンツセクションを特定する情報が一次評価情報に含まれていればよい。また、上記実施例において、音声のみのコンテンツまたはコンテンツ片を評価する場合には、図５のコンテンツ表示領域４１並びに図６及び図７のコンテンツ片表示領域５１はなくともよい。
【００７７】
上述した実施例における端末もしくはサーバの構成、ルーチン、または表示もしくは入力の態様等は、例示に過ぎず、用途等に応じて、適宜選択または変更することができる。例えば、ルーチンにおける各ステップは、上記した例に関わらずサーバ、端末または記録端末装置のいずれが行うこととしてもよい。
【符号の説明】
【００７８】
１０    サーバ
１１    システムバス
１３    大容量記憶装置
１５    システム制御部
１７    データ通信部
２０    端末
２１    システムバス
２３    大容量記憶装置
２５    システム制御部
２７    入力部
２９    出力部
３１    データ通信部
６０    記録端末装置
【図１】
2015106223.tif 000003
【図２】
2015106223.tif 000004
【図３】
2015106223.tif 000005
【図４】
2015106223.tif 000006
【図５】
2015106223.tif 000007
【図６】
2015106223.tif 000008
【図７】
2015106223.tif 000009
【図８】
2015106223.tif 000010
【図９】
2015106223.tif 000011
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
コンテンツに対する一次評価を含む一次評価情報を受け付ける一次評価情報受付手段と、
前記一次評価情報の内容に応じて変化する抽出態様で前記コンテンツの一部であるコンテンツ片を抽出するコンテンツ片抽出手段と、
前記コンテンツ片を提示するコンテンツ片提示手段と、
前記コンテンツ片に対する二次評価を含む二次評価情報を受け付ける二次評価情報受付手段と、
を含むことを特徴とするコンテンツ評価装置。
【請求項２】
前記コンテンツ片抽出手段は、前記一次評価情報の内容に応じて前記コンテンツ片の抽出位置を変化させることを特徴とする請求項１に記載のコンテンツ評価装置。
【請求項３】
前記一次評価は前記コンテンツに対する逐次評価であることを特徴とする請求項１または２に記載のコンテンツ評価装置。
【請求項４】
前記一次評価と前記二次評価の評価基準が互いに異なることを特徴とする請求項１乃至３のいずれか１に記載のコンテンツ評価装置。
【請求項５】
前記一次評価受付手段及び前記二次評価受付手段と一体になっており、前記コンテンツを撮像するコンテンツ撮像手段を含むことを特徴とする請求項１乃至４のいずれか１に記載のコンテンツ評価装置。
【請求項６】
コンテンツ評価システムであって、
前記コンテンツに対する一次評価を受け付ける一次評価受付手段と、
前記一次評価を含む一次評価情報を通信路を介して送信する一次評価情報送信手段と、
前記一次評価情報を通信路を介して受信する一次評価情報受信手段と、
前記一次評価情報の内容に応じて変化する抽出態様で前記コンテンツの一部であるコンテンツ片を抽出するコンテンツ片抽出手段と、
前記抽出されたコンテンツ片を通信路を介して送信するコンテンツ片送信手段と、
前記コンテンツ片を通信路を介して受信するコンテンツ片受信手段と、
前記コンテンツ片に対する二次評価を含む二次評価情報を受け付ける二次評価情報受付手段と、
前記二次評価情報を通信路を介して送信する二次評価情報送信手段と、
前記二次評価情報を通信路を介して受信する二次評価情報受信手段と、
を含むことを特徴とするコンテンツ評価システム。
【請求項７】
前記コンテンツ片抽出手段は、前記一次評価情報の内容に応じて前記コンテンツ片の抽出位置を変化させることを特徴とする請求項６に記載のコンテンツ評価システム。
【請求項８】
前記一次評価は前記コンテンツに対する逐次評価であることを特徴とする請求項６または７に記載のコンテンツ評価システム。
【請求項９】
前記一次評価と前記二次評価の評価基準が互いに異なることを特徴とする請求項６乃至８のいずれか１に記載のコンテンツ評価システム。
【請求項１０】
前記一次評価受付手段及び前記二次評価受付手段と一体になっており、前記コンテンツを撮像するコンテンツ撮像手段を含むことを特徴とする請求項６乃至９のいずれか１に記載のコンテンツ評価システム。
【請求項１１】
通信路を介してコンテンツを評価する評価者から前記コンテンツに対する一次評価を含む一次評価情報を通信路を介して受信する一次評価受信手段と、
前記一次評価情報の内容に応じて変化する抽出態様で前記コンテンツの一部であるコンテンツ片を抽出するコンテンツ片抽出手段と、
前記抽出されたコンテンツ片を前記評価者に通信路を介して送信するコンテンツ片送信手段と、
前記評価者から前記コンテンツ片に対する二次評価を含む二次評価情報を通信路を介して受信する二次評価情報受信手段と、
を含むことを特徴とするサーバ装置。
【請求項１２】
前記コンテンツ片抽出手段は、前記一次評価情報の内容に応じて前記コンテンツ片の抽出位置を変化させることを特徴とする請求項１１に記載のサーバ装置。
【請求項１３】
前記一次評価は前記コンテンツに対する逐次評価であることを特徴とする請求項１１または１２に記載のサーバ装置。
【請求項１４】
前記一次評価と前記二次評価の評価基準が互いに異なることを特徴とする請求項１１乃至１３のいずれか１に記載のサーバ装置。
【請求項１５】
コンテンツに対する一次評価を受け付ける一次評価受付手段と、
前記一次評価を含む一次評価情報を通信路を介して送信する一次評価情報送信手段と、
前記コンテンツの一部であり、かつ前記一次評価情報の内容に応じて変化する抽出態様で抽出されたコンテンツ片を通信路を介して受信するコンテンツ片受信手段と、
前記コンテンツ片に対する二次評価を含む二次評価情報を受け付ける二次評価受付手段と、
を有することを特徴とする端末装置。
【請求項１６】
前記コンテンツ片は、前記一次評価情報の内容に応じて抽出位置が変化することを特徴とする請求項１５に記載の端末装置。
【請求項１７】
前記一次評価は前記コンテンツに対する逐次評価であることを特徴とする請求項１５または１６に記載の端末装置。
【請求項１８】
前記一次評価と前記二次評価の評価基準が互いに異なることを特徴とする請求項１５乃至１７のいずれか１に記載の端末装置。
【請求項１９】
前記一次評価受付手段及び前記二次評価受付手段と一体になっており、前記コンテンツを撮像するコンテンツ撮像手段を含むことを特徴とする請求項１５乃至１８のいずれか１に記載の端末装置。
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
コンテンツに対して逐次評価することで得られる評価である一次評価を受け付けてこれを当該一次評価のなされた時点を示す評価時点情報とともに一次評価情報として記憶する一次評価情報受付手段と、
前記一次評価情報の内容に応じて抽出位置を特定して前記コンテンツからその一部であるコンテンツ片を前記抽出位置に従って抽出するコンテンツ片抽出手段と、
前記コンテンツ片を提示するコンテンツ片提示手段と、
前記コンテンツ片に対する二次評価を含む二次評価情報を受け付ける二次評価情報受付手段と、
を含むことを特徴とするコンテンツ評価装置。
【請求項２】
前記一次評価情報受付手段及び前記二次評価情報受付手段と一体になっており、前記コンテンツの撮像及び録音の少なくとも一方をなすコンテンツ記録手段を含むことを特徴とする請求項１に記載のコンテンツ評価装置。
【請求項３】
コンテンツに対して逐次評価することで得られる評価である一次評価を受け付けてこれを当該一次評価のなされた時点を示す評価時点情報とともに一次評価情報として記憶する一次評価情報受付手段と、
前記一次評価情報を通信路を介して送信する一次評価情報送信手段と、
前記一次評価情報を通信路を介して受信する一次評価情報受信手段と、
前記一次評価情報の内容に応じて抽出位置を特定して前記コンテンツからその一部であるコンテンツ片を前記抽出位置に従って抽出するコンテンツ片抽出手段と、
前記抽出されたコンテンツ片を通信路を介して送信するコンテンツ片送信手段と、
前記コンテンツ片を通信路を介して受信するコンテンツ片受信手段と、
前記コンテンツ片に対する二次評価を含む二次評価情報を受け付ける二次評価情報受付手段と、
前記二次評価情報を通信路を介して送信する二次評価情報送信手段と、
前記二次評価情報を通信路を介して受信する二次評価情報受信手段と、
を含むことを特徴とするコンテンツ評価システム。
【請求項４】
コンテンツを評価する評価者から前記コンテンツに対して逐次評価することで得られる評価である一次評価及び当該一次評価のなされた時点を示す評価時点情報を含む一次評価情報を通信路を介して受信してこれを記憶する一次評価情報受信手段と、
前記一次評価情報の内容に応じて抽出位置を特定して前記コンテンツからその一部であるコンテンツ片を前記抽出位置に従って抽出するコンテンツ片抽出手段と、
前記抽出されたコンテンツ片を前記評価者に通信路を介して送信するコンテンツ片送信手段と、
前記評価者から前記コンテンツ片に対する二次評価を含む二次評価情報を通信路を介して受信する二次評価情報受信手段と、
を含むことを特徴とするサーバ装置。
【請求項５】
コンテンツに対して逐次評価することで得られる評価である一次評価を受け付けてこれを当該一次評価のなされた時点を示す評価時点情報とともに一次評価情報として記憶する一次評価情報受付手段と、
前記一次評価情報を通信路を介して送信する一次評価情報送信手段と、
前記コンテンツの一部であり、かつ前記一次評価情報の内容に応じて特定された抽出位置に従って前記コンテンツから抽出されたコンテンツ片を通信路を介して受信するコンテンツ片受信手段と、
前記コンテンツ片に対する二次評価を含む二次評価情報を受け付ける二次評価受付手段と、
を有することを特徴とする端末装置。